(57)【要約】【課題】第１の筐体と第２の筐体の相対的な位置を変化することによって選択的にプログラムを起動することのできる携帯端末において、意図するプログラムを選択して実行できるようにする。【解決手段】第１の筐体および第２の筐体の相対的な位置が、所定状態もしくは前記所定状態以外の状態に移行したことを検出する状態検出手段と、前記状態検出手段からの状態移行検出の通知に応じてプログラムを実行するプログラム実行手段と、前記プログラム実行手段が実行可能な複数のプログラムを順序付けて格納するプログラム格納手段とを備え、前記プログラム実行手段は、前記状態検出手段が、所定時間内に前記所定状態から前記所定状態以外の状態へ移行し、次に、前記所定状態以外の状態から前記所定状態へ移行したことを検出すると、実行するプログラムを前記順序において切り替える。【選択図】図８
2008090467.tif 000002
【特許請求の範囲】
【請求項１】
第１の筐体と、
主表示面に主表示部を備える第２の筐体と、
前記第１の筐体と前記第２の筐体とを互いの主面に略平行な第１の回動軸を介して回動可能に接続する第１の接続手段と、
前記第１の回動軸に略垂直な第２の回動軸を介して前記第２の筐体を回動可能にする第２の接続手段と、
前記第１の筐体および前記第２の筐体の相対的な位置が、所定状態もしくは前記所定状態以外の状態に移行したことを検出する状態検出手段と、
前記状態検出手段からの状態移行検出の通知に応じてプログラムを実行するプログラム実行手段と、
前記プログラム実行手段が実行可能な複数のプログラムを順序付けて格納するプログラム格納手段とを備え、
前記プログラム実行手段は、前記状態検出手段が、所定時間内に前記所定状態から前記所定状態以外の状態へ移行し、次に、前記所定状態以外の状態から前記所定状態へ移行したことを検出すると、実行するプログラムを前記順序において切り替えることを特徴とする携帯端末。
【請求項２】
前記状態検出手段は、前記第２筐体の主表示面が表側となるように第１筐体と第２筐体を折り畳んだ状態を前記所定の状態として検出することを特徴とする、請求項１記載の携帯端末。
【請求項３】
前記プログラム実行手段は、初回の所定状態への移行の検出時にはプログラム起動を行わないことを特徴とする請求項１または２に記載の携帯端末。
【請求項４】
前記プログラム実行手段は、２回目以降の所定の回数目の前記所定状態への移行の検出時にはプログラム起動を行わないことを特徴とする請求項１または２に記載の携帯端末。
【請求項５】
第１の筐体と、
主表示面に主表示部を備える第２の筐体と、
前記第１の筐体と前記第２の筐体とを互いの主面に略平行な第１の回動軸を介して回動可能に接続する第１の接続手段と、
前記第１の回動軸に略垂直な第２の回動軸を介して前記第２の筐体を回動可能にする第２の接続手段と
前記第１の筐体と前記第２の筐体を開いた通常開状態と、前記通常開状態から前記第２の筐体を回動して反転させた逆開状態と、前記第２の筐体の主表示部が表側になるように前記第１の筐体と前記第２の筐体を折り畳んだ逆閉状態とを検出する状態検出手段と、
前記状態検出手段からの状態検出通知に応じてプログラムを実行するプログラム実行手段と、
前記プログラム実行手段が実行可能な複数のプログラムを格納するプログラム格納手段とを備え、
前記プログラム実行手段は、前記状態検出手段が前記通常開状態から前記逆開状態への移行を検出した時刻と、前記状態検出手段が前記逆開状態から前記逆閉状態への移行を検出した時刻との間の経過時間を算出し、実行するプログラムを前記経過時間と対応づけて前記プログラム格納手段から選択することを特徴とする携帯端末。
【請求項６】
前記プログラム実行手段が前記経過時間と対応づけて選択されたプログラムを前記プログラム格納部から選択してから所定時間が経過するまでに前記状態検出手段が逆閉状態から逆開状態へ移行して逆開状態から逆閉状態へ移行したことを検出すると、前記プログラム実行手段は、前記経過時間と各プログラムに対応づけられた時間との差分が小さい順に実行するプログラムを切り替えることを特徴とする請求項５記載の携帯端末。
【請求項７】
前記プログラム実行手段は、前記プログラム格納部からプログラムを選択すると、前記主表示部に前記プログラムの識別記号を表示させることを特徴とする請求項１乃至６のいずれか１項に記載の携帯端末。
【請求項８】
音声再生手段をさらに備え、
前記プログラム実行手段は、前記プログラム格納部からプログラムを選択すると、前記音声再生手段に前記プログラムを識別するための音を発生させることを特徴とする請求項１乃至７のいずれか１項に記載の携帯端末。
【発明の詳細な説明】
【技術分野】
【０００１】
本発明は、携帯電話端末や、ＰＤＡ（Personal Digital Assistant）端末等の携帯端末に関し、特に２つ以上の筐体を備え、それらの筐体が相対的に移動可能に接続された携帯端末に関する。
【背景技術】
【０００２】
従来、キー入力機能を備えた下筐体と、表示機能を備えた上筐体とを、それぞれの筐体に略平行な軸を介して回動するように互いに接続し、折り畳むことを可能とした、いわゆるクラムシェル型の携帯端末がある。クラムシェル型の携帯端末は折り畳み状態とすることによって端末の持ち運びを容易とし、携帯時にキーが誤って押されることによる誤動作を防ぐことができる。
【０００３】
また、表示機能を備えた上筐体の主表示部が、前記それぞれの筐体に略平行な軸に略垂直な軸を介して回転するように接続し、主表示部が表側となる状態（逆閉状態）で折りたたむことを可能とした、いわゆるスウィベル型の携帯端末がある。スウィベル型の携帯端末は、前記のクラムシェル型の携帯端末の利点に加えて、折り畳んだ状態でも主表示部を見ることができるという利点がある。
【０００４】
これらの携帯端末において、プログラムを起動するための操作を簡略化するために、端末の上筐体と下筐体の相対的な位置を特定の状態にした時に、特定のプログラムを起動する技術が発明されている。
【０００５】
例えば、特許文献１には、開閉状態検出部が２つの筐体の開状態を順次検出し、その各開状態検出信号を速度検出部に出力し、速度検出部は、開閉状態検出部から順次入力される各開状態検出信号に含まれる回転角度の変位割合に基づいて２つの筐体の開速度を検出し、開速度検出信号をプログラム起動部に出力し、プログラム起動部が、速度検出部から入力される開速度検出信号に基づいて、記憶部に記憶された複数のプログラムのうち、その開速度に応じたプログラムを起動する技術が記載されている。
【０００６】
このような技術により、複雑なキー操作を行うことなく、端末の姿勢を変化させるだけで、プログラムを選択的に起動することができる。
【０００７】
【特許文献１】特開２００４−２３５８６５号公報
【発明の開示】
【発明が解決しようとする課題】
【０００８】
しかしながら、上述した特許文献１に記載の発明では、利用者が自分の操作感覚及び時間間隔をたよりに端末の上筐体と下筐体の相対的な位置を変化させ、起動するプログラムを選択するため、しばしば利用者の意図しないプログラムが起動する場合があった。その場合には、最初から操作をやり直す必要があり、また操作をやり直した場合にも意図したプログラムを起動するのに確実性を期すことができなかった。また利用者の時間的感覚に負うところが大きいため、多数のプログラムの中から意図するプログラムを選択して実行することが困難であった。
【０００９】
本発明は、そのような状況に鑑みてなされたもので、端末の上筐体と下筐体の相対的な位置を変化することによって選択的にプログラムを起動することのできる携帯端末において、多数のプログラムの中から意図するプログラムを選択して実行できるようにすることを目的し、意図しないプログラムが起動した場合であっても簡単な追加操作にて意図するプログラムを起動できるようにした携帯端末を提供することを目的とする。
【課題を解決するための手段】
【００１０】
本発明は上記課題を解決するための手段を提供するものである。各発明は、以下の技術手段を構成する。
【００１１】
本発明にかかる携帯端末は、第１の筐体と、主表示面に主表示部を備える第２の筐体と、前記第１の筐体と前記第２の筐体とを互いの主面に略平行な第１の回動軸を介して回動可能に接続する第１の接続手段と、前記第１の回動軸に略垂直な第２の回動軸を介して前記第２の筐体を回動可能にする第２の接続手段と、前記第１の筐体および前記第２の筐体の相対的な位置が、所定状態もしくは前記所定状態以外の状態に移行したことを検出する状態検出手段と、前記状態検出手段からの状態移行検出の通知に応じてプログラムを実行するプログラム実行手段と、前記プログラム実行手段が実行可能な複数のプログラムを順序付けて格納するプログラム格納手段とを備え、前記プログラム実行手段は、前記状態検出手段が、所定時間内に前記所定状態から前記所定状態以外の状態へ移行し、次に、前記所定状態以外の状態から前記所定状態へ移行したことを検出すると、実行するプログラムを前記順序において切り替えることを特徴とする。
【００１２】
前記状態検出手段は、前記第２筐体の主表示部が表側となるように第１筐体と第２筐体を折り畳んだ状態を前記所定の状態として検出してもよい。
【００１３】
前記プログラム実行手段は、初回の所定状態への移行の検出時にはプログラム起動を行わないようにしてもよい。
【００１４】
前記プログラム実行手段は、２回目以降の所定の回数目の前記所定状態への移行の検出時にはプログラム起動を行わないようにしてもよい。
【００１５】
また本発明にかかる他の携帯端末は、第１の筐体と、主表示面に主表示部を備える第２の筐体と、前記第１の筐体と前記第２の筐体とを互いの主面に略平行な第１の回動軸を介して回動可能に接続する第１の接続手段と、前記第１の回動軸に略垂直な第２の回動軸を介して前記第２の筐体を回動可能にする第２の接続手段と前記第１の筐体と前記第２の筐体を開いた通常開状態と、前記通常開状態から前記第２の筐体を回動して反転させた逆開状態と、前記第２の筐体の主表示部が表側になるように前記第１の筐体と前記第２の筐体を折り畳んだ逆閉状態とを検出する状態検出手段と、前記状態検出手段からの状態検出通知に応じてプログラムを実行するプログラム実行手段と、前記プログラム実行手段が実行可能な複数のプログラムを格納するプログラム格納手段とを備え、前記プログラム実行手段は、前記状態検出手段が前記通常開状態から前記逆開状態への移行を検出した時刻と、前記状態検出手段が前記逆開状態から前記逆閉状態への移行を検出した時刻との間の経過時間を算出し、実行するプログラムを前記経過時間と対応づけて前記プログラム格納手段から選択することを特徴とする。
【００１６】
前記プログラム実行手段が前記経過時間と対応づけて選択されたプログラムを前記プログラム格納部から選択してから所定時間が経過するまでに前記状態検出手段が逆閉状態から逆開状態へ移行して逆開状態から逆閉状態へ移行したことを検出すると、前記プログラム実行手段は、前記経過時間と各プログラムに対応づけられた時間との差分が小さい順に実行するプログラムを切り替えるようにしてもよい。
【００１７】
前記プログラム実行手段は、前記プログラム格納部からプログラムを選択すると、前記主表示部に前記プログラムの識別記号を表示させるようにしてもよい。
【００１８】
音声再生手段をさらに備え、前記プログラム実行手段は、前記プログラム格納部からプログラムを選択すると、前記音声再生手段に前記プログラムを識別するための音を発生させるようにしてもよい。
【発明の効果】
【００１９】
本発明によれば、端末の上筐体と下筐体の相対的な位置を変化することによって選択的にプログラムを起動することのできる携帯端末において、多数のプログラムの中から意図するプログラムを選択して実行できるようにすることを目的し、意図しないプログラムが起動した場合であっても簡単な追加操作にて意図するプログラムを起動できるようにした携帯端末を提供することができる。
【発明を実施するための最良の形態】
【００２０】
本発明による携帯端末の最良の実施形態の一例を、図１乃至図１２に基づいて以下に説明する。
【００２１】
図１は、本発明による実施形態例である携帯端末１の上面図である。携帯端末１は、下筐体(第１筐体)２と、上筐体(第２筐体)３とを備えており、下筐体２と上筐体３とを接続する接続部５を備えている。下筐体２は主表示面に主操作部６を備える。主操作部６は、数字キーやカーソルキー、機能キーなどの操作キーを含む。上筐体３は主表示面に主表示部４を備えている。主表示部４は、例えば液晶表示装置である。携帯端末１は、主操作部６や主表示部４の他に、副操作部や副表示部を備えてもよい。
【００２２】
下筐体２と上筐体３とは接続部５によって接続されている。図５は図１の接続部５付近を拡大した側面図であり、図６は上面図である。図５および６に示すように、下筐体２と接続部５とは、上筐体３の主面に平行な回動軸７ａおよび７ｂによって接続されている。また、上筐体３と接続部５とは、回動軸７ａおよび７ｂに略垂直な回動軸８によって接続されている。接続部５を介して、下筐体２と上筐体３の相対的な位置を変化させることができる。
【００２３】
また、図６および図７に示す通り、上筐体３は、磁気センサ９および磁気センサ１１を備えている。磁気センサ９は、接続部５に備えられた磁性体１０による磁場変化を検出する。すなわち、接続部５に対する上筐体３の回動軸８を介した回動についての状態を検出する。また、磁気センサ１１は、下筐体２に備え付けられた磁性体１２による磁場変化を検出する。すなわち、回動軸７ａおよび７ｂを介した上筐体３と下筐体２の開閉状態を検出する。磁気センサ９および磁気センサ１１による磁場変化の検出により、携帯端末１の状態を判別する方法については後述する。
【００２４】
図８は、携帯端末１の処理系統を示す機能ブロック図である。携帯端末１は、主表示部４、磁気センサ９、磁気センサ１１、音声再生部１３、情報処理部２０、タイマ２３、クロック２４、テーブル記憶部２５およびプログラム格納部２６を備えている。情報処理部２０は、状態検出部２１およびプログラム実行部２２からなる。情報処理部２０は、例えば半導体メモリと半導体メモリに記憶されたプログラムとＣＰＵ、あるいはＡＳＩＣ（Application Specific Integrated Circuit）、あるいは専用の集積回路により機能実現できる。テーブル記憶部２５およびプログラム格納部２６は、例えば半導体メモリ、あるいは磁気ディスクを用いることにより機能実現できる。
【００２５】
状態検出部２１は、磁気センサ９および磁気センサ１１からの磁場変化の検出の信号を受け、その信号の組み合わせによって端末１の状態変化を検出し、状態を判別する。状態検出部２１によって検出および判別できる状態は、通常開状態、通常閉状態、逆閉状態、逆開状態のいずれかである。
【００２６】
通常開状態は、図１に示すように、回動軸１を介して下筐体２と接続部５とが（すなわち、下筐体２と上筐体３とが）所定の開き角を持ち、接続部５に対する上筐体３の回動軸８を介した回転角度が約０°の状態である。すなわち、通常開状態は、下筐体２の操作面と上筐体３の表示面とが向かい合って閉じた状態から、下筐体２と上筐体３とを回動軸７ａ、７ｂを介して開いた状態である。このとき、図６（ｂ）に示すように磁性体１０は磁気センサ９から離れた状態となると共に、図７（ｃ）に示すように磁性体１２は磁気センサ１１から離れた状態となるので、磁気センサ９、１１いずれも磁場変化を検出しないことから、状態検出部２１は通常開状態と判定する。
【００２７】
通常閉状態は、図２に示すように、上筐体３の表示面と下筐体２の操作面が合わさるように閉じた状態であり、このとき、下筐体２に対する接続部５の回動軸７ａ、７ｂを介した回転角度は約０°であり、接続部５に対する上筐体３の回動軸８を介した回転角度は約０°である。すなわち、通常閉状態は、通常開状態から下筐体２と上筐体３とを回動軸７ａ、７ｂを介して閉じた状態である。この時、図６（ｂ）に示すように磁性体１０は磁気センサ９から離れた状態となると共に、図７（ｂ）に示すように磁性体１２は磁気センサ１１に近づいた状態となり、磁気センサ１１のみが磁場変化を検出することから、状態検出部２１は通常閉状態と判定する。
【００２８】
逆開状態は、図３に示すように、回動軸７ａ、７ｂを介して下筐体２と接続部５とが（すなわち、下筐体２と上筐体３とが）所定の開き角を持ち、接続部５に対する上筐体３の回動軸８を介した回転角度が約１８０°の状態である。すなわち、逆開状態は、下筐体２の操作面と上筐体３の表示面とが同じ方向を向いて閉じた状態から、下筐体２と上筐体３とを回動軸７ａ、７ｂを介して開いた状態である。この時、図６（ａ）に示すように磁性体１０は磁気センサ９に近づいた状態になると共に、図７（ｃ）に示すように磁性体１２は磁気センサ１１から離れた状態となり、磁気センサ９のみが磁場変化を検出することから、状態検出部２１は通常開状態と判定する。
【００２９】
逆閉状態は、図４に示すように、上筐体３の主表示部４の表示面が表にくるように携帯端末１を折り畳んだ状態であり、このとき、第１筐体に対する接続部の回動軸１を介した回転角度は約０°であり、接続部に対する第２筐体の回動軸２を介した回転角度は約１８０°である。すなわち、逆閉状態は、逆開状態から下筐体２と上筐体３とを回動軸７ａ、７ｂを介して閉じた状態である。この時、図６（ｂ）に示すように磁性体１０は磁気センサ９は近づいた状態となると共に、図７（ｂ）に示すように磁性体１２は磁気センサ１１に近づいた状態となり、磁気センサ９は磁性体１０、磁気センサ１１は磁性体１２による磁場変化を検出することから、状態検出部２１は逆閉状態と判定する。
【００３０】
タイマ２３は計時機能を有しており、起動時にプログラム実行部２２によって設定された時間が経過すると、設定された時間が経過したことを通知する信号をプログラム実行部２２に対して送る。また、プログラム実行部２２は、タイマ２３の起動中に停止信号をタイマ２３に送ることにより、計時を停止させることができる。
【００３１】
クロック２４は携帯端末１の動作中は常に動作しており、現在の時刻情報をプログラム実行部２２に対して出力する。
【００３２】
プログラム実行部２２は、状態検出部２１から状態変化の検出の信号を受け、プログラム格納部２６からプログラムを選択して実行する。また、プログラム実行部２２は、状態移行時にクロック２４から時刻を取得し、状態移行発生時の時刻を記憶する。プログラム実行部２２は、それらの時刻の間の時間を測定する機能を有する。
【００３３】
プログラム格納部２６には、プログラム実行部２２で実行可能な複数の実行プログラムが格納されている。
【００３４】
テーブル記憶部２５には、プログラム実行部２２がプログラム格納部２６からプログラムを選択するための条件判定に用いるデータが格納される。本実施例ではデータとしてテーブル１およびテーブル２を格納している。
【００３５】
テーブル１は、図９に示すように順序づけられたプログラム識別子である。
テーブル２は、図１０に示すように複数のレコードから構成されており、各レコードは、プログラム識別子のデータと時間値のデータの対となっている。テーブル中の全てのレコードは、時間値データの小さい順に並んでいる。
【００３６】
音声再生部１３は、プログラム実行部２２から送られる電気信号を音声に変換して出力する。
【００３７】
次に、例として本発明の実施形態の２通りの動作を、フローチャートを使用して説明する。
【００３８】
図１１のフローチャートを参照し、第１の動作について説明する。
【００３９】
利用者が携帯端末１の状態を逆閉状態とすると、ステップＳ００１で、状態検出部２１は、携帯端末１の状態が逆閉状態に移行したことを検出する。プログラム実行部２２は、状態検出部２１から逆閉状態への移行の通知を受けると、ステップＳ００２で、プログラム格納部２６から逆閉状態移行に応じて起動するプログラムを選択する。図１１の処理シーケンスで初回のステップＳ００２の処理では、プログラム実行部２２は、テーブル格納部２５に格納されたテーブル１に並んでいるデータのうち１番目のプログラム識別子（プログラム１）に対応するプログラムをプログラム格納部２６から選択する。
【００４０】
次に、ステップＳ００３で、プログラム実行部２２は、選択されたプログラムの識別記号を主表示部４に表示させる。主表示部４が表示するプログラムの識別記号は、当該プログラムの名前を表す文字列、図柄、アイコン等である。これにより、プログラムが実行される前に、選択されたプログラムが利用者の意図するものと同じかどうかを確認することができる。
【００４１】
主表示部４がプログラムの識別記号を表示した後、ステップＳ００４で、プログラム実行部２２は、タイマ２３を起動し、第１の所定の時間経過後にプログラム実行部２２に第１の所定の時間が経過したことを通知するように設定する。タイマ２３が計時している間、ステップＳ００５で、逆開状態への移行があったかどうかを判定する。ステップＳ００６で、タイマ２３からの通知があるまでに逆開状態への移行が発生しなかった場合、ステップＳ００７で、プログラム実行部２２は、ステップＳ００２で選択したプログラムを実行する。
【００４２】
ステップＳ００６でのタイマ２３からの通知の前に、ステップＳ００５で状態検出部２１が逆開状態への移行を検出した場合は、ステップＳ００８で、プログラム実行部２２は、タイマ２３を、第２の所定の時間経過後にプログラム実行部２２に第２の所定の時間が経過したことを通知するように設定する。ステップＳ０１０でのタイマ２３からの通知の前に、ステップＳ００９で状態検出部２１が逆閉状態への移行を検出した場合は、ステップＳ００２で、２番目のプログラム識別子（プログラム２）に対応するプログラムをプログラム格納部２６から選択する。ステップＳ０１０でタイマ２３からの通知があるまでに逆閉状態への移行が発生しなかった場合、ステップＳ００７で、プログラム実行部２２は現在選択されているプログラム（プログラム２に対応するプログラム）を実行する。
【００４３】
以上の処理シーケンスにて、プログラム実行部２２は、ステップＳ００２の処理が行われる度にテーブル１に並んでいる順にプログラムを選択してゆき、最後のプログラムまで行き着いた場合、テーブル１の最初に戻ってプログラムを選択するようにする。
【００４４】
以上の処理により、携帯端末１の利用者は、複雑なキー操作を経なくとも、あらかじめ指定された複数のプログラムを選択して実行することができる。かつ、意図したプログラムが起動しない場合でも、逆開状態移行と逆閉状態移行の繰り返しという簡易な操作の繰り返しによって、意図したプログラムの選択を行うことができる。
【００４５】
また、主として前記逆閉状態において使用することが想定されるプログラムのプログラム識別子をテーブル１に登録しておくことにより、ステップＳ００７にてプログラムが起動した後に利用者が携帯端末１を逆閉状態にする必要がないため、操作が簡単になる。
【００４６】
また、テーブル１の１番目のプログラム識別子を、プログラムを起動しないことを表す識別子としてもよい。このようにすれば、初回の逆閉状態への移行時には、ステップＳ００２の処理ではプログラム選択を行わず、２回目以降のステップＳ００２の処理にてプログラムの選択を行うようになるので、誤操作によって携帯端末１が逆閉状態となった時に意図しないプログラムが起動してしまうのを防ぐことができる。
【００４７】
また、テーブル１の所定の順番のプログラム識別子を、プログラムを起動しないことを表す識別子としてもよい。例えば２番目のプログラム識別子をプログラムを起動しないことを表す識別子とすれば、２回目のステップＳ００２の処理にてプログラム選択を行わないようになるので、最初に逆閉状態とした後に所定時間内に逆開状態にして再度逆閉状態にすることにより、最初の逆閉によるプログラムの起動を中止することができる。この機能は特に、大半の場合は逆閉時には所定のプログラムを利用するが時々逆閉時にプログラムを起動しない必要ある場合に有効である。
【００４８】
図１２のフローチャートを参照し、第２の動作について説明する。
ステップＳ１０１で、状態検出部２１が、携帯端末１の状態が逆開状態に移行したことを検出すると、ステップＳ１０２で、プログラム実行部２２は、逆開移行時の第１の時刻をクロック２４から取得する。次に、ステップＳ１０３で、状態検出部２１が逆閉状態に移行したことを検出すると、ステップＳ１０４で、プログラム実行部２２は、逆閉移行時の第２の時刻をクロック２４から取得する。そして、ステップＳ１０５で、プログラム実行部２２は、前記第１の時刻と前記第２の時刻との間の時間を計算する。
【００４９】
次に、ステップＳ１０６で、プログラム実行部２２は、Ｓ１０５にて計算した時間とテーブル２の各レコードの時間値との差の絶対値を計算し、この差の絶対値が最も小さくなるレコードのプログラム識別子に対応するプログラムをプログラム格納部２６から選択する。ステップＳ１０７で、プログラム実行部２２は、選択されたプログラムの識別記号を主表示部４に表示させる。主表示部４が表示するプログラムの識別記号は、当該プログラムの名前を表す文字列、図柄、アイコン等である。これにより、プログラムが実行される前に、選択されたプログラムが利用者の意図するものと同じかどうかを確認することができる。
【００５０】
主表示部４がプログラムの識別記号を表示した後、ステップＳ１０８で、プログラム実行部２２は、タイマ２３を起動し、第１の所定の時間経過後にプログラム実行部２２に第１の所定の時間が経過したことを通知するように設定する。
【００５１】
利用者は主表示部４に表示されたプログラムの識別番号を確認し、選択されたプログラムが利用者の意図するものと同じ場合は、利用者は携帯端末１を逆閉状態のまま保持し、タイマ２３の計時中、状態検出部２１は逆開状態への移行を検出することなく、ステップＳ１１０でタイマ２３からの通知が行われ、ステップＳ１１１で、プログラム選択部２２は、選択したプログラムを実行する。
【００５２】
選択したプログラムが利用者の意図するものと異なる場合は、利用者は携帯端末１を逆開状態にし、ステップＳ１０９で、状態検出部２１が逆開状態への移行を検出し、ステップＳ１１２で、プログラム実行部２２は、タイマ２３を起動し、第２の所定の時間経過後にプログラム実行部２２に第２の所定の時間が経過したことを通知するように設定する。
【００５３】
タイマ２３の計時中、利用者が携帯端末１を逆閉状態に戻さず、状態検出部２１が逆閉状態への移行を検出することなしに、ステップＳ１１４でタイマ２３からの通知が行われた場合、ステップＳ１１１で、プログラム実行部２２は、現在選択中のプログラムを実行する。
【００５４】
タイマ２３から通知があるまでに利用者が速やかに携帯端末１を逆閉状態にし、ステップＳ１０６で、状態検出部２１が逆閉状態への移行を検出した場合は、ステップＳ１０６で、プログラム実行部２２は再びプログラムを選択する。ここでは、プログラム実行部２２は、ステップＳ１０５にて計算した時間とテーブル２の各レコードの時間値との差の絶対値を計算し、差が２番目に小さくなるレコードのプログラム識別子に対応するプログラムをプログラム格納部２６から選択する。
【００５５】
図１２のシーケンスにて、プログラム実行部２２は、Ｓ１０６の処理が実行される度にＳ１０５にて計算した時間とテーブル２の各レコードの時間値の差分の絶対値の小さい順に次々にレコードを選択してゆく動作となる。最後のレコードまで行き着いた場合、再び絶対値の最も小さいレコードから選択していく。
【００５６】
以上の処理により、携帯端末１の利用者は、複雑なキー操作を経なくとも、あらかじめ指定された複数のプログラムを選択して実行することができる。また上筐体３と下筐体２の回転操作の操作の時間的感覚に基づいてプログラムの選択を行うことができ、かつ、意図したプログラムが起動しない場合でも、逆開状態移行と逆閉状態移行の繰り返しという簡易な操作の繰り返しによって、意図したプログラムの選択を行うことができる。
【００５７】
上述した例では、本発明の実施形態の２通りの動作を説明したが、携帯端末の他の状態間の移行に関しても同様の処理を実現することができる。
【００５８】
また、図１１のステップＳ００３および図１２のステップＳ１０７では、プログラム実行部２２が主表示部４に選択されたプログラムのプログラム識別記号を表示させたが、これに替わり、又は、これと同時に、プログラム実行部２２が音声再生部１３に選択されたプログラムを識別するための音（例えば、音声によるプログラム名）を発生させてもよい。
【００５９】
＜まとめ＞
本発明にかかる携帯端末は、第１の筐体と、主表示面に主表示部を備える第２の筐体と、前記第１の筐体と前記第２の筐体とを互いの主面に略平行な第１の回動軸を介して回動可能に接続する第１の接続手段と、前記第１の回動軸に略垂直な第２の回動軸を介して前記第２の筐体を回動可能にする第２の接続手段と、前記第１の筐体および前記第２の筐体の相対的な位置が、所定状態もしくは前記所定状態以外の状態に移行したことを検出する状態検出手段と、前記状態検出手段からの状態移行検出の通知に応じてプログラムを実行するプログラム実行手段と、前記プログラム実行手段が実行可能な複数のプログラムを順序付けて格納するプログラム格納手段とを備え、前記プログラム実行手段は、前記状態検出手段が、所定時間内に前記所定状態から前記所定状態以外の状態へ移行し、次に、前記所定状態以外の状態から前記所定状態へ移行したことを検出すると、実行するプログラムを前記順序において切り替えることを特徴とする。本発明の携帯端末の利用者は、複雑なキー操作を経なくとも、あらかじめ指定された複数のプログラムを選択して実行することができる。かつ、意図したプログラムが起動しない場合でも、前記所定状態への移行とその他の状態への移行の繰り返しという簡易な操作の繰り返しによって、意図したプログラムの選択を行うことができる。
【００６０】
前記状態検出手段は、前記第２筐体の主表示部が表側となるように第１筐体と第２筐体を折り畳んだ状態を前記所定の状態として検出してもよい。
【００６１】
前記プログラム実行手段は、初回の所定状態への移行の検出時にはプログラム起動を行わないようにしてもよい。このようにすれば、誤操作によって携帯端末が前記所定の状態となった時に意図しないプログラムが起動してしまうのを防ぐことができる。
【００６２】
前記プログラム実行手段は、所定の回数目の前記所定状態への移行の検出時にはプログラム起動を行わないようにしてもよい。このようにすれば、逆閉の状態でプログラムを起動したくない場合に、簡易な操作によってプログラムの起動を中止することができる。
【００６３】
また本発明にかかる他の携帯端末は、第１の筐体と、主表示面に主表示部を備える第２の筐体と、前記第１の筐体と前記第２の筐体とを互いの主面に略平行な第１の回動軸を介して回動可能に接続する第１の接続手段と、前記第１の回動軸に略垂直な第２の回動軸を介して前記第２の筐体を回動可能にする第２の接続手段と前記第１の筐体と前記第２の筐体を開いた通常開状態と、前記通常開状態から前記第２の筐体を回動して反転させた逆開状態と、前記第２の筐体の主表示部が表側になるように前記第１の筐体と前記第２の筐体を折り畳んだ逆閉状態とを検出する状態検出手段と、前記状態検出手段からの状態検出通知に応じてプログラムを実行するプログラム実行手段と、前記プログラム実行手段が実行可能な複数のプログラムを格納するプログラム格納手段とを備え、前記プログラム実行手段は、前記状態検出手段が前記通常開状態から前記逆開状態への移行を検出した時刻と、前記状態検出手段が前記逆開状態から前記逆閉状態への移行を検出した時刻との間の経過時間を算出し、実行するプログラムを前記経過時間と対応づけて前記プログラム格納手段から選択することを特徴とする。本発明の他の携帯端末の利用者は、複雑なキー操作を経なくとも、あらかじめ指定された複数のプログラムを選択して実行することができる。また、前記第１の筐体と前記第２の筐体の回転操作の操作の時間的感覚に基づいてプログラムの選択を行うことができる。
【００６４】
前記プログラム実行手段が前記経過時間と対応づけて選択されたプログラムを前記プログラム格納部から選択してから所定時間が経過するまでに前記状態検出手段が逆閉状態から逆開状態へ移行して逆開状態から逆閉状態へ移行したことを検出すると、前記プログラム実行手段は、前記経過時間と各プログラムに対応づけられた時間との差分が小さい順に実行するプログラムを切り替えるようにしてもよい。このようにすれば、意図したプログラムが起動しない場合でも、前記所定の状態への移行とその他の状態への移行の繰り返しという簡易な操作の繰り返しによって、意図したプログラムの選択を行うことができる。
【００６５】
前記プログラム実行手段は、前記プログラム格納部からプログラムを選択すると、前記主表示部に前記プログラムの識別記号を表示させるようにしてもよい。これにより、プログラムが実行される前に、選択されたプログラムが利用者の意図するものと同じかどうかを確認することができる。
【００６６】
音声再生手段をさらに備え、前記プログラム実行手段は、前記プログラム格納部からプログラムを選択すると、前記音声再生手段に前記プログラムを識別するための音を発生させるようにしてもよい。これにより、プログラムが実行される前に、選択されたプログラムが利用者の意図するものと同じかどうかを確認することができる。
【産業上の利用可能性】
【００６７】
本発明は携帯端末装置に利用可能である。
【図面の簡単な説明】
【００６８】
【図１】本発明の携帯端末の通常開状態での上面図である。
【図２】本発明の携帯端末の通常閉状態での上面図である。
【図３】本発明の携帯端末の逆開状態での上面図である。
【図４】本発明の携帯端末の逆閉状態での上面図である。
【図５】接続部の構造を示す側面図である。
【図６】接続部の構造を示す上面図である。
【図７】携帯端末における磁気センサと磁性体の取り付けの構造を示す平面図である。
【図８】本発明の携帯端末の構成を示す機能ブロック図である。
【図９】テーブル記憶部に格納されるデータ構図を示す図である。
【図１０】テーブル記憶部に格納されるデータ構図を示す図である。
【図１１】本発明の携帯端末の第１の動作を示すフローチャートである。
【図１２】本発明の携帯端末の第２の動作を示すフローチャートである。
【符号の説明】
【００６９】
１  携帯端末
２  下筐体（第１の筐体）
３  上筐体（第２の筐体）
４  主表示部
５  接続部
６  入力用キー
７ａ、７ｂ、８  回動軸
９、１１  磁気センサ
１０、１２  磁性体
１３  音声再生部
２０  情報処理部
２１  状態検出部
２２  プログラム実行部
２３  タイマ
２４  クロック
【図１】
2008090467.tif 000003
【図２】
2008090467.tif 000004
【図３】
2008090467.tif 000005
【図４】
2008090467.tif 000006
【図５】
2008090467.tif 000007
【図６】
2008090467.tif 000008
【図７】
2008090467.tif 000009
【図８】
2008090467.tif 000010
【図９】
2008090467.tif 000011
【図１０】
2008090467.tif 000012
【図１１】
2008090467.tif 000013
【図１２】
2008090467.tif 000014